【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
液体吐出ヘッド用の半導体装置であって、
第１電圧を供給するための第１電極と、
前記第１電圧とは異なる第２電圧を供給するための第２電極と、
液体にエネルギーを付与するための複数の吐出素子であって、各吐出素子は第１端子及び第２端子を有する、複数の吐出素子と、
前記複数の吐出素子の第１端子と前記第１電極とを電気的に接続するための複数の第１スイッチ素子であって、前記複数の吐出素子のうちの２つ以上の吐出素子に接続されている第１スイッチ素子を含む、複数の第１スイッチ素子と、
前記複数の吐出素子の第２端子と前記第２電極とを電気的に接続するための複数の第２スイッチ素子であって、前記複数の吐出素子のうちの２つ以上の吐出素子に接続されている第２スイッチ素子を含む、複数の第２スイッチ素子とを備え、
前記複数の吐出素子のうちの同一の第２スイッチ素子に接続された２つ以上の吐出素子は、前記複数の第１スイッチ素子のうちの互いに異なる第１スイッチ素子に接続されており、
前記複数の第１スイッチ素子の個数は、前記複数の第２スイッチ素子の個数よりも少なく、
前記複数の吐出素子は、ある方向に並んで配置されており、
前記複数の第１スイッチ素子は、前記方向に並んで配置されており、
前記複数の第２スイッチ素子は、前記方向に並んで配置されていることを特徴とする半導体装置。
【請求項２】
同一の第２スイッチ素子に接続された２つ以上の吐出素子は、隣接して配置されることを特徴とする請求項１に記載の半導体装置。
【請求項３】
液体吐出ヘッド用の半導体装置であって、
第１電圧を供給するための第１電極と、
前記第１電圧とは異なる第２電圧を供給するための第２電極と、
液体にエネルギーを付与するための複数の吐出素子であって、各吐出素子は第１端子及び第２端子を有する、複数の吐出素子と、
前記複数の吐出素子の第１端子と前記第１電極とを電気的に接続するための複数の第１スイッチ素子であって、前記複数の吐出素子のうちの２つ以上の吐出素子に接続されている第１スイッチ素子を含む、複数の第１スイッチ素子と、
前記複数の吐出素子の第２端子と前記第２電極とを電気的に接続するための複数の第２スイッチ素子であって、前記複数の吐出素子のうちの２つ以上の吐出素子に接続されている第２スイッチ素子を含む、複数の第２スイッチ素子とを備え、
前記複数の吐出素子のうちの同一の第２スイッチ素子に接続された２つ以上の吐出素子は、前記複数の第１スイッチ素子のうちの互いに異なる第１スイッチ素子に接続されており、
前記複数の第１スイッチ素子の個数は、前記複数の第２スイッチ素子の個数よりも少なく、
前記同一の第２スイッチ素子に接続された２つ以上の吐出素子は、隣接して配置されることを特徴とする半導体装置。
【請求項４】
前記複数の第１スイッチ素子及び前記複数の第２スイッチ素子を制御する制御部を更に備え、
前記制御部は、前記複数の吐出素子のうちの１つの吐出素子に接続された第１スイッチ素子及び第２スイッチ素子をオンにすることによって、当該１つの吐出素子を駆動することを特徴とする請求項１乃至３の何れか１項に記載の半導体装置。
【請求項５】
前記制御部は、前記複数の吐出素子のうちの１つの吐出素子に接続された第１スイッチ素子がオンである状態で、当該１つの吐出素子に接続された第２スイッチ素子のオン・オフを切り替えることを特徴とする請求項４に記載の半導体装置。
【請求項６】
前記制御部は、互いに異なる第２スイッチ素子に接続された２つ以上の吐出素子に接続された２つ以上の第１スイッチ素子を同期して制御することを特徴とする請求項４又は５に記載の半導体装置。
【請求項７】
前記制御部は、前記複数の第１スイッチ素子を制御する第１制御部と、前記複数の第２スイッチ素子を制御する第２制御部とを含み、
前記第２制御部は、前記複数の第２スイッチ素子に沿って配置されていることを特徴とする請求項４乃至６の何れか１項に記載の半導体装置。
【請求項８】
前記半導体装置は長方形形状を有し、
前記複数の第１スイッチ素子が配置されている方向は前記半導体装置の長手方向であり、
前記第１制御部は、前記複数の第１スイッチ素子と前記半導体装置の短辺との間に配置されていることを特徴とする請求項７に記載の半導体装置。
【請求項９】
液体吐出ヘッド用の半導体装置であって、
第１電圧を供給するための第１電極と、
前記第１電圧とは異なる第２電圧を供給するための第２電極と、
液体にエネルギーを付与するための複数の吐出素子であって、各吐出素子は第１端子及び第２端子を有する、複数の吐出素子と、
前記複数の吐出素子の第１端子と前記第１電極とを電気的に接続するための複数の第１スイッチ素子であって、前記複数の吐出素子のうちの２つ以上の吐出素子に接続されている第１スイッチ素子を含む、複数の第１スイッチ素子と、
前記複数の吐出素子の第２端子と前記第２電極とを電気的に接続するための複数の第２スイッチ素子であって、前記複数の吐出素子のうちの２つ以上の吐出素子に接続されている第２スイッチ素子を含む、複数の第２スイッチ素子と、
前記複数の第１スイッチ素子及び前記複数の第２スイッチ素子を制御する制御部と、を備え、
前記複数の吐出素子のうちの同一の第２スイッチ素子に接続された２つ以上の吐出素子は、前記複数の第１スイッチ素子のうちの互いに異なる第１スイッチ素子に接続されており、
前記複数の第１スイッチ素子の個数は、前記複数の第２スイッチ素子の個数よりも少なく、
前記制御部は、前記複数の吐出素子のうちの１つの吐出素子に接続された第１スイッチ素子がオンである状態で、当該１つの吐出素子に接続された第２スイッチ素子のオン・オフを切り替えることを特徴とする半導体装置。
【請求項１０】
前記複数の第１スイッチ素子の個数と前記複数の第２スイッチ素子の個数との和は、前記複数の吐出素子の個数以下であることを特徴とする請求項１乃至９の何れか１項に記載の半導体装置。
【請求項１１】
前記複数の第１スイッチ素子の個数と前記複数の第２スイッチ素子の個数との積は、前記複数の吐出素子の個数に等しいことを特徴とする請求項１乃至１０の何れか１項に記載の半導体装置。
【請求項１２】
前記第２電圧は前記第１電圧よりも低いことを特徴とする請求項１乃至１１の何れか１項に記載の半導体装置。
【請求項１３】
前記第１電圧は電源電圧であり、前記第２電圧は接地電圧であることを特徴とする請求項１乃至１２の何れか１項に記載の半導体装置。
【請求項１４】
前記複数の吐出素子及び前記複数の第２スイッチ素子はブロック内にあり、
前記半導体装置は前記ブロックを複数備えることを特徴とする請求項１乃至１３の何れか１項に記載の半導体装置。
【請求項１５】
前記ブロックは前記複数の第１スイッチ素子を含むことを特徴とする請求項１４に記載の半導体装置。
【請求項１６】
請求項１乃至１５のいずれか１項に記載の半導体装置と、前記半導体装置によって液体の吐出が制御される吐出口とを備えることを特徴とする液体吐出ヘッド。
【請求項１７】
請求項１６に記載の液体吐出ヘッドとインクを収容する液体容器とを備えることを特徴とする液体吐出カートリッジ。
【請求項１８】
請求項１６に記載の液体吐出ヘッドと、前記液体吐出ヘッドに液体を吐出させるための駆動信号を供給する供給手段とを有することを特徴とする液体吐出装置。
【手続補正２】
【補正対象書類名】明細書
【補正対象項目名】０００５
【補正方法】変更
【補正の内容】
【０００５】
上記課題に鑑みて、本発明の一部の実施形態により、液体吐出ヘッド用の半導体装置であって、第１電圧を供給するための第１電極と、前記第１電圧とは異なる第２電圧を供給するための第２電極と、液体にエネルギーを付与するための複数の吐出素子であって、各吐出素子は第１端子及び第２端子を有する、複数の吐出素子と、前記複数の吐出素子の第１端子と前記第１電極とを電気的に接続するための複数の第１スイッチ素子であって、前記複数の吐出素子のうちの２つ以上の吐出素子に接続されている第１スイッチ素子を含む、複数の第１スイッチ素子と、前記複数の吐出素子の第２端子と前記第２電極とを電気的に接続するための複数の第２スイッチ素子であって、前記複数の吐出素子のうちの２つ以上の吐出素子に接続されている第２スイッチ素子を含む、複数の第２スイッチ素子とを備え、前記複数の吐出素子のうちの同一の第２スイッチ素子に接続された２つ以上の吐出素子は、前記複数の第１スイッチ素子のうちの互いに異なる第１スイッチ素子に接続されており、前記複数の第１スイッチ素子の個数は、前記複数の第２スイッチ素子の個数よりも少なく、前記複数の吐出素子は、ある方向に並んで配置されており、前記複数の第１スイッチ素子は、前記方向に並んで配置されており、前記複数の第２スイッチ素子は、前記方向に並んで配置されていることを特徴とする半導体装置が提供される。